(57)【要約】【課題】単一の設備で適切なカウンセリングおよび診察を実現することができる歯科治療用設備を提供する。【解決手段】歯科治療用設備１は、可動カウンター１０が備えられ、この可動カウンター１０は、被施術者が着座する歯科用椅子２に対して近づく方向に前進して前進位置に配置され、または、歯科用椅子２から離れる方向に後退して後退位置に配置され、直線部、および、この直線部から前進方向に張り出して湾曲した湾曲面部を有する本体部と、直線部から上方に張り出して湾曲した立上げ面部とから構成されたことにより、歯科用椅子２から視して円形である。【選択図】図１
2018192199.tif 000002
【特許請求の範囲】
【請求項１】
被施術者が着座する歯科用椅子に対して近づく方向に前進して前進位置に配置され、または、前記歯科用椅子から離れる方向に後退して後退位置に配置される可動カウンターが備えられた、
ことを特徴とする歯科治療用設備。
【請求項２】
前記歯科用椅子の背もたれ部が倒れた状態において、前記可動カウンターが前記後退位置に配置され、前記背もたれ部が起きた状態において、前記可動カウンターが前記前進位置に配置された、
ことを特徴とする請求項１に記載された歯科治療用設備。
【請求項３】
前記前進位置において、前記歯科用椅子が前記可動カウンターと対面し、
前記後退位置において、前記歯科用椅子が、前記可動カウンターが前進する方向と交差する方向に向けられた、
ことを特徴とする請求項１または請求項２に記載された歯科治療用設備。
【請求項４】
固定カウンターと、
この固定カウンターに備えられたインスツルメントテーブルと、
前記固定カウンターに備えられた前記可動カウンターと、が備えられ、
前記可動カウンターが前記インスツルメントテーブルよりも大きく形成された、
ことを特徴とする請求項１から請求項３のいずれか１項に記載された歯科治療用設備。
【請求項５】
前記可動カウンターが、前記歯科用椅子から視して円形である、
ことを特徴とする請求項１から請求項４のいずれか１項に記載された歯科治療用設備。
【請求項６】
前記可動カウンターが、
直線部、および、この直線部から前進方向に張り出して湾曲した湾曲面部を有する本体部と、
前記直線部から上方に張り出して湾曲した立上げ面部と、から形成された、
ことを特徴とする請求項１から請求項５のいずれか１項に記載された歯科治療用設備。
【発明の詳細な説明】
【技術分野】
【０００１】
本発明は、歯科医院における歯科治療用設備に関するものである。
【背景技術】
【０００２】
従来、歯科医院の歯科治療用設備は、治療器具やカウンターが備えられたキャビネット、被施術者が着座する歯科用椅子などが備えられ、歯科医師や歯科衛生士（以下、「歯科医師等」と記す。）が治療を行うために必要な環境が揃えられている。例えば、下記特許文献１に記載された医科歯科診療用キャビネットは、テーブル、収納箱、インスツルメントテーブル、モニタなどが揃えられている。
【０００３】
ところで、歯科医院では予防診療も行われる。予防診療では、カウンセリングを通じて、歯科医師等と被施術者とがコミュニケーションを図ることが重要である。また、予防診療では、カウンセリングの途中で、口腔内を診察する場合や、簡易な処置を行う場合もあり、このことによって、治療方針やメンテナンスなどに対する意思疎通が適切に図れる。
【０００４】
カウンセリングでは、コミュニケーションを図りやすくするために、歯科医師等と、被施術者や家族とがカウンターテーブルを囲うスタイルが望ましい。また、カウンターテーブルは、被施術者が手を載せたり、資料を開いたりするため、大きめのものが好まれる。カウンターテーブルが大きい場合、被施術者の視界から、可能な限り治療器具を排除して被施術者の不安を和らげることもできる。このような被施術者の精神状態に配慮し、カウンターテーブルは、例えば家具調など、親しみのある和やかな風合いの形状が好まれる。
【０００５】
一方で、診察などは、歯科用椅子の背もたれ部が倒れた状態で行われることが多いため、可能な限り歯科用椅子の周囲の空間を空け、治療器具の配置や歯科医師等の導線を確保することが好ましい。
【先行技術文献】
【特許文献】
【０００６】
【特許文献１】特開２００９−２７３７４６号公報
【発明の概要】
【発明が解決しようとする課題】
【０００７】
上記したとおり、カウンセリングでは、カウンターテーブルが必要であるが、診察などでは、カウンターテーブルが妨げとなる。
【０００８】
本発明は、上記の実情に鑑みて提案されたものである。すなわち、単一の設備で適切なカウンセリングおよび診察を実現することができる歯科治療用設備の提供を目的とする。
【課題を解決するための手段】
【０００９】
上記目的を達成するために、本発明に係る歯科治療用設備は、被施術者が着座する歯科用椅子に対して近づく方向に前進して前進位置に配置され、または、前記歯科用椅子から離れる方向に後退して後退位置に配置される可動カウンターが備えられた、ことを特徴とする。
【００１０】
本発明に係る歯科治療用設備は、前記歯科用椅子の背もたれ部が倒れた状態において、前記可動カウンターが前記後退位置に配置され、前記背もたれ部が起きた状態において、前記可動カウンターが前記前進位置に配置された、ことを特徴とする。
【００１１】
本発明に係る歯科治療用設備は、前記前進位置において、前記歯科用椅子が前記可動カウンターと対面し、前記後退位置において、前記歯科用椅子が、前記可動カウンターが前進する方向と交差する方向に向けられた、ことを特徴とする。
【００１２】
本発明に係る歯科治療用設備は、固定カウンターと、この固定カウンターに備えられたインスツルメントテーブルと、前記固定カウンターに備えられた前記可動カウンターと、が備えられ、前記可動カウンターが前記インスツルメントテーブルよりも大きく形成された、ことを特徴とする。
【００１３】
本発明に係る歯科治療用設備は、前記可動カウンターが、前記歯科用椅子から視して円形である、ことを特徴とする。
【００１４】
本発明に係る歯科治療用設備は、前記可動カウンターが、直線部、および、この直線部から前進方向に張り出して湾曲した湾曲面部を有する本体部と、前記直線部から上方に張り出して湾曲した立上げ面部と、から形成された、ことを特徴とする。
【発明の効果】
【００１５】
本発明に係る歯科治療用設備は、上記した構成である。すなわち、可動カウンターが被施術者に近づいて前進位置に配置されると、適切なカウンセリングを実現することができる。さらに、歯科医師等や被施術者の家族と共に可動カウンターを囲うことで、より適切なカウンセリングを実現することができる。特に、被施術者が子供である場合、付き添った家族を同席させて診療方針を家族で確認することができる。一方、可動カウンターが被施術者から離れて後退位置に配置されると、可動カウンターが妨げとならず適切な診察を実現することができる。
【００１６】
本発明に係る歯科治療用設備は、歯科用椅子の背もたれ部が倒れた状態において、可動カウンターが後退位置に配置され、背もたれ部が起きた状態において、可動カウンターが前進位置に配置される。すなわち、可動カウンターが前進位置に配置された状態では、背もたれ部が起きることで被施術者の上体が起こされているため、適切なカウンセリングを実現することができる。一方、可動カウンターが後退位置に配置された状態では、背もたれ部が倒れたことで被施術者の上体が寝ているため、適切な診察を実現することができる。
【００１７】
本発明に係る歯科治療用設備は、前進位置において、歯科用椅子が可動カウンターと対面し、後退位置において、歯科用椅子が、可動カウンターが前進する方向と交差する方向に向けられる。すなわち、可動カウンターが前進位置に配置された状態では、歯科用椅子が可動カウンターと対面することで、被施術者が可動カウンターと対面するため、適切なカウンセリングを実現することができる。一方、可動カウンターが後退位置に配置された状態では、歯科用椅子が回転して可動カウンターと異なる向きに向けられることで、歯科用椅子と可動カウンターとの間が広く空けられるため、歯科医師等の導線が確保されて適切な診察を実現することができる。
【００１８】
本発明に係る歯科治療用設備は、固定カウンターと、この固定カウンターに備えられたインスツルメントテーブルと、固定カウンターに備えられた可動カウンターと、が備えられ、可動カウンターがインスツルメントテーブルよりも大きく形成されている。すなわち、大きな可動カウンターであれば、被施術者が手を載せたり、資料を開いたりする際に便利であり、また、被施術者の視界から治療器具を排除して被施術者の不安を和らげることができる。
【００１９】
本発明に係る歯科治療用設備は、可動カウンターが、直線部、および、この直線部から前進方向に張り出して湾曲した湾曲面部を有する本体部と、直線部から上方に張り出して湾曲した立上げ面部とから形成され、可動カウンターが、歯科用椅子から視して円形である。したがって、可動カウンターが大きく視認され、また、一般的な歯科医院にはない親しみのある和やかな風合いを実現して良好なカウンセリングを行うことができる。
【図面の簡単な説明】
【００２０】
【図１】本発明の実施形態に係る歯科治療用設備において可動カウンターが後退位置に配置された状態が示された斜視図である。
【図２】本発明の実施形態に係る歯科治療用設備において可動カウンターが前進位置に配置された状態が示された斜視図である。
【図３】本発明の実施形態に係る歯科治療用設備において後退位置に配置された可動カウンターの平面透し図である。
【図４】本発明の実施形態に係る歯科治療用設備において前進位置に配置された可動カウンターの平面透し図である。
【図５】本発明の実施形態に係る歯科治療用設備の可動カウンターが示され、（ａ）は平面図、（ｂ）は斜視図、（ｃ）は左側面図、（ｄ）正面図、（ｅ）は右側面図、（ｆ）は背面図、（ｇ）は底面図である。
【図６】本発明の実施形態に係る歯科治療用設備において歯科用椅子側から視した可動カウンターの見え方が示され、（ａ）は被施術者の目線が示された目線説明図であり、（ｂ）（ｃ）（ｄ）は、歯科用椅子側から視した可動カウンターの見え方が示された見え方説明図である。
【図７】本発明の実施形態の変形例に係る歯科治療用設備の他の可動カウンターが示され、（ａ）は平面図、（ｂ）は斜視図、（ｃ）は左側面図、（ｄ）正面図、（ｅ）は右側面図、（ｆ）は背面図、（ｇ）は底面図である。
【図８】本発明の実施形態の変形例に係る歯科治療用設備において歯科用椅子側から視した他の可動カウンターの見え方が示され、（ａ）は被施術者の目線が示された目線説明図であり、（ｂ）（ｃ）（ｄ）は、歯科用椅子側から視した他の可動カウンターの見え方が示された見え方説明図である。
【発明を実施するための形態】
【００２１】
本発明の実施形態に係る歯科治療用設備は、歯科用椅子と可動カウンターとが連動し、カウンセリングに適したカウンセリング形態、または、診療に適した診療形態に変化するものである。以下に、本発明の実施形態に係る歯科治療用設備を図面に基づいて説明する。図１および図２は、歯科治療用設備１の斜視図である。図１は、歯科治療用設備１の診療形態が示され、図２は、歯科治療用設備１のカウンセリング形態が示されている。
【００２２】
図１および図２に示されているとおり、歯科治療用設備１は、インスツルメントテーブル４が備えられた長手の固定カウンター５と、この固定カウンター５の天板６の上面に設置された可動カウンター１０と、被施術者が着座する歯科用椅子２とから構成され、歯科医師等が着座するドクターチェア（図示省略）や、被施術者の付添人が着座する付添人用椅子（図示省略）が適宜設置される。ドクターチェアは、例えば位置Ｐ１または位置Ｐ２間を移動し、付添人用椅子は例えば位置Ｐ３に設置される。なお、以下の説明では、可動カウンター１０が移動する方向を前方または後方とし、可動カウンター１０が移動する方向と直交する方向を手前側または奥側とする。
【００２３】
歯科用椅子２は、自在に回転および昇降し、背もたれ部３の角度が自在に変化する。固定カウンター５は、ほぼ長方形の天板６を有し、手前側において天板６の下方にインスツルメントテーブル４が配置されている。インスツルメントテーブル４は、各種インスツルメント（図示省略）が保持され、アーム（図示省略）を介して固定カウンター５から前方に引き出され、または、天板６の下方に収容される。固定カウンター５は、奥側において天板６の上面に、リンク機構２０（図３および図４参照）を介して可動カウンター１０が設置されている。可動カウンター１０は、インスツルメントテーブル４よりも大きく形成され、面積が広い。可動カウンター１０は、リンク機構２０を介して前進して歯科用椅子２に近づき、また、後退して歯科用椅子２から離れる。
【００２４】
詳説すれば、図１に示されているとおり、診療形態では、可動カウンター１０は、固定カウンター５の上面である後退位置に配置され、歯科用椅子２から離れている。歯科用椅子２は、正面が奥側に向けられている。背もたれ部３は、診療内容に応じて、適宜倒され、または起き上げられる。この診療形態では、歯科用椅子２と可動カウンター１０との間が広く空けられるため、例えば、位置Ｐ１に配置されたドクターチェアに歯科医師が着座し、場合によっては位置Ｐ２に歯科衛生士が付いて診療が行われる。この診療形態において、可動カウンター１０が前進し、歯科用椅子２が右回りにほぼ９０度回転することで、カウンセリング形態に変化する。
【００２５】
図２に示されているとおり、カウンセリング形態では、可動カウンター１０は、着座したまま被施術者の手が届く程度の位置である前進位置に配置され、歯科用椅子２に近づいている。歯科用椅子２は、正面が可動カウンター１０と対面している。背もたれ部３は、カウンセリングに応じて、適宜倒され、または起き上げられる。このカウンセリング形態では、例えば、位置Ｐ１に配置されたドクターチェアに歯科医師等が着座し、位置Ｐ３に設置された付添人用椅子に付添人が着座することで、可動カウンター１０を囲ってカウンセリングが行われる。このカウンセリング形態において、可動カウンター１０が後退し、歯科用椅子２が左回りにほぼ９０度回転することで、再び診療形態に変化する（図１参照）。
【００２６】
次に、リンク機構２０を図面に基づいて説明する。図３および図４は、可動カウンター１０の平面が透けてリンク機構２０が示されている。図３は、診療形態における可動カウンター１０が示され、図４は、カウンセリング形態における可動カウンター１０が示されている。
【００２７】
図３および図４に示されているとおり、リンク機構２０は、いわゆる四節リンクである。リンク機構２０は、天板６を固定リンクとし、可動カウンター１０を中間リンクとし、これらの固定リンク、中間リンク、駆動リンク部材２１および従動リンク部材２４から構成され、駆動部としてのアクチュエータ３０によって稼働する。詳説すれば、駆動リンク部材２１および従動リンク部材２４は、長手の平板状であり、互いに平行に配置されている。駆動リンク部材２１の一端である固定側駆動関節部２２は、天板６上面の前方部に取り付けられ、他端である可動側駆動関節部２３は、可動テーブル１０下面の中央よりも後方部に取り付けられている。一方、従動リンク部材２４の一端である固定側従動関節部２５は、天板６上面において固定側駆動関節部２２よりも後方に取り付けられ、他端である可動側従動関節部２６は、可動テーブル１０下面において可動側駆動関節部２３よりも後方部に取り付けられている。アクチュエータ３０は、例えば空圧式または油圧式のピストンシリンダーであり、駆動リンク部材２１において固定側駆動関節部２２に近い側に取り付けられている。
【００２８】
図３に示されているとおり、診療形態では、アクチュエータ３０のピストン３１がシリンダー３２に収められ、可動カウンター１０が後退位置に配置されている。可動カウンター１０は、天板６と重なっている。この診療形態において、アクチュエータ３０が稼働してピストン３１が前進すると、駆動リンク部材２１が押され、駆動リンク部材２１は、固定側駆動関節部２２を軸として平面視して左回りに回転し、同時に、可動カウンター１０を介して、従動リンク部材２４が追随して固定側従動関節部２５を軸として左回りに回転する。このことにより、可動カウンター１０が真っすぐ前進し、カウンセリング形態に変化する。
【００２９】
図４に示されているとおり、カウンセリング形態では、アクチュエータ３０のピストン３１がシリンダー３２から突出し、可動カウンター１０が前進位置に配置されている。可動カウンター１０は、天板６よりも前方に張り出している。このカウンセリング形態において、アクチュエータ３０が稼働してピストン３１が後退すると、駆動リンク部材２１が引っ張られ、駆動リンク部材２１は、固定側駆動関節部２２を軸として平面視して右回りに回転し、同時に、可動カウンター１０を介して、従動リンク部材２４が追随して固定側従動関節部２５を軸として右回りに回転する。このことにより、可動カウンター１０が真っすぐ後退し、診療形態に変化する（図３参照）。
【００３０】
次に、可動カウンター１０を図面に基づいて説明する。図５は、可動カウンター１０の外観が示されている。
【００３１】
図５に示されているとおり、可動カウンター１０は、真円の半円形に近似した平板状の本体部１１と、この本体部１１の一部の縁が上方に張り出して形成された立上げ面部１４とから構成され、本体部１１と立上げ面部１４とが直角に連接されている。詳説すれば、本体部１１は、例えば、真円の平板が、中心点よりも円周縁寄りで真っすぐに切断され、中心点が含まれている側と中心点が含まれていない側とに二分された場合に、中心点が含まれている側のような半円形に近似した形状である。本体部１１は、後方端の縁に直線部１２を有しており、この直線部１２から前進方向に凸弧状に張り出して湾曲した湾曲面部１３を有している。
【００３２】
立上げ面部１４は、例えば、真円の平板が、中心点よりも円周縁寄りで真っすぐに切断され、中心点が含まれている側と中心点が含まれていない側とに二分された場合に、中心点が含まれていない側に近似した形状である。立上げ面部１４は、本体部１１の直線部１２に連接され、この直線部１２から上方に凸弧状に中央が張り出して湾曲している。立上げ面部１４は、本体部１１と比較して、張り出す度合いが少なく、面積が小さく形成されている。
【００３３】
次に、歯科用椅子２から視した可動カウンター１０の見え方を図面に基づいて説明する。図６は、歯科用椅子２側から視した可動カウンター１０の見え方が示されている。なお、以下の説明では、図６において、可動カウンター１０の立上げ面部１４の上端を通る被施術者の目線と可動カウンター１０の本体部１１を含む平面とのなす角を、目線角度とする。
【００３４】
図６に示されているとおり、可動カウンター１０は、歯科用椅子２から視してほぼ円形である。詳説すれば、例えば、目線角度が２０度である場合の目線Ａでは、可動カウンター１０は楕円形である（図６（ｃ）参照）。また、立上げ面部１４の上端に対して目線Ａから１０度高い目線Ｂでは、可動カウンター１０は、目線Ａで視した可動カウンター１０よりも短半径が長い楕円形である（図６（ｂ）参照）。また、立上げ面部１４の上端に対して目線Ａから１０度低い目線Ｃでは、可動カウンター１０は、目線Ａで視した可動カウンター１０よりも短半径が短い楕円形である（図６（ｄ）参照）。すなわち、可動カウンター１０の見え方は、目の位置が下がるに従って短半径が短い楕円形となる。なお、目線角度が０度に近づけば、可動カウンター１０の見え方は直線状となり、目線角度が９０度に近づけば、可動カウンター１０の見え方は円形状となる。
【００３５】
なお、可動カウンター１０は、以下の形状であってもよい。図７は、他の可動カウンター１１０の外観が示され、図８は、歯科用椅子２側から視した他の可動カウンター１１０の見え方が示されている。
【００３６】
図７に示されているとおり、他の可動カウンター１１０は、本体部１１１が可動カウンター１０と異なり、本体部１１１は、例えば、楕円の平板が、中心点よりも短半径側の円周縁寄りで真っすぐに切断され、中心点が含まれている側と中心点が含まれていない側とに二分された場合に、中心点が含まれている側のような半楕円形に近似した形状である。なお、他の構成は可動カウンター１０と同一である。また、図８に示されているとおり、他の可動カウンター１１０の見え方は、目の位置が下がるに従って短半径が短い楕円形となる。なお、可動カウンター１０の見え方は、長円形であってもよい。
【００３７】
上記のとおり、歯科治療用設備１が構成されている。次に、歯科治療用設備１の効果を説明する。
【００３８】
上記したとおり、歯科治療用設備１は、歯科用椅子２と可動カウンター１０とが連動し、カウンセリングに適したカウンセリング形態、または、診療に適した診療形態に変化するものである。可動カウンター１０は、固定カウンター５の奥側において天板６の上面に、リンク機構２０を介して設置され、このリンク機構２０を介して、前進して歯科用椅子２に近づき、また、後退して歯科用椅子２から離れる。一方、歯科用椅子２は、可動カウンター１０と連動して回転し、また、背もたれ部３の角度が自在に変化する。
【００３９】
カウンセリング形態では、可動カウンター１０は、着座したまま被施術者の手が届く程度の位置である前進位置に配置され、歯科用椅子２に近づいている。一方、歯科用椅子２は、正面が可動カウンター１０と対面し、背もたれ部３が起き上げられる。このようなカウンセリング形態によれば、被施術者の上体が起こされて可動カウンター１０と対面しており、位置Ｐ１に配置されたドクターチェアに歯科医師等が着座することで、適切なカウンセリングを実現することができる。その際、被施術者と歯科医師等との着座位置が、可動カウンター１０を中心として約９０度となるため、被施術者がリラックスした状態でカウンセリングを行うことができる。さらに、位置Ｐ３に設置された付添人用椅子に被施術者の家族などが着座し、歯科医師等、被施術者および家族が可動カウンター１０を囲うことで、より適切なカウンセリングを実現することができる。特に、被施術者が子供である場合、付き添った家族を同席させて診療方針を家族で確認することができる。なお、カウンセリングの内容や被施術者の容態によっては、カウンセリング形態において背もたれ部３が倒れていてもよい。
【００４０】
診療形態では、可動カウンター１０は、固定カウンター５の上面である後退位置に配置され、歯科用椅子２から離れている。一方、歯科用椅子２は、正面が奥側に向けられ、背もたれ部３が倒されている。このような診療形態によれば、歯科用椅子２と可動カウンター１０との間が広く空けられるため、歯科医師等の導線が確保され、位置Ｐ１、位置Ｐ２間でドクターチェアを自在に移動させて歯科医師等が適切な診察を実現することができる。場合によっては、位置Ｐ１に配置されたドクターチェアに歯科医師が着座し、位置Ｐ２に歯科衛生士が付いて、診療を行うこともできる。なお、診療の内容や被施術者の容態によっては、診療形態において背もたれ部３が起こされていてもよい。
【００４１】
上記のとおり、歯科治療用設備１によれば、単一の設備で適切なカウンセリングおよび診察を実現することができる。
【００４２】
歯科治療用設備１は、固定カウンター５にインスツルメントテーブル４が備えられ、可動カウンター１０は、インスツルメントテーブル４よりも大きく形成され、面積が広い。すなわち、大きな可動カウンター１０であるため、被施術者が手を載せたり、資料を開いたりする際に便利であり、また、被施術者の視界からインスツルメントなどを排除して被施術者の不安を和らげることができる。
【００４３】
歯科治療用設備１の可動カウンター１０は、真円の半円形に近似した平板状の本体部１１が、後方端の縁に直線部１２を有し、この直線部１２から前進方向に凸弧状に張り出して湾曲した湾曲面部１３を有している。また、立上げ面部１４は、本体部１１の直線部１２に連接され、この直線部１２から上方に凸弧状に中央が張り出して湾曲している。この構成により、可動カウンター１０は、歯科用椅子２から視して楕円形である。したがって、可動カウンター１０が大きく視認され、また、一般的な歯科医院にはない親しみのある和やかな風合いを実現して良好なカウンセリングを行うことができる。
【００４４】
また、可動カウンター１０の本体部１１は、後方端の縁に直線部１２を有しているため、診療状態において、ほぼ長方形の天板６の後方の縁と揃えられる。したがって、収まりが良い。
【００４５】
以上、本発明の実施形態を詳述したが、本発明は上記実施形態に限定されるものではない。そして本発明は、特許請求の範囲に記載された事項を逸脱することがなければ、種々の設計変更を行うことが可能である。
【符号の説明】
【００４６】
１                歯科治療用設備
２                歯科用椅子
３                背もたれ部
４                インスツルメントテーブル
５                固定カウンター
６                天板
１０              可動カウンター
１１              本体部
１２              直線部
１３              湾曲面部
１４              立上げ面部
２０              リンク機構
２１              駆動リンク部材
２２              固定側駆動関節部
２３              可動側駆動関節部
２４              従動リンク部材
２５              固定側従動関節部
２６              可動側従動関節部
３０              アクチュエータ
３１              ピストン
３２              シリンダー
１１０            他の可動カウンター
Ａ〜Ｃ            目線
Ｐ１〜Ｐ３        位置
【図１】
2018192199.tif 000003
【図２】
2018192199.tif 000004
【図３】
2018192199.tif 000005
【図４】
2018192199.tif 000006
【図５】
2018192199.tif 000007
【図６】
2018192199.tif 000008
【図７】
2018192199.tif 000009
【図８】
2018192199.tif 000010